(57)【要約】   【課題】軒樋吊具の鼻板への取付けに際して固定部材３の上下位置調節を容易にすることを目的とする。  【解決手段】断面Ｔ字状のアリ溝２０と釘２１との相対関係は、底辺３２の幅Ｓ１、溝部３５の深さＳ２、当接面部６の表面３１から頂辺３３までの深さＳ３、開口部３７の開口幅Ｓ４、釘２１の頭幅Ｓ５、釘２１の頭厚さＳ６、釘２１の軸径Ｓ７とすると、Ｓ１＝Ｓ５、Ｓ７＞Ｓ４、Ｓ２＞Ｓ６である。前記断面Ｔ字状のアリ溝２０の底辺３２の幅Ｓ１は、鼻板２に固定された仮固定用の固定具４０の釘２１の頭幅Ｓ５と同じ幅（スライド可能な範囲内で、僅かに釘２１の頭幅Ｓ５の方が大きくするのが好ましい）であるので、釘２１はアリ溝２０内の任意の位置に仮固定することができる。そして、本固定用の円孔２５に釘４１を打ち込み本固定する。【選択図】  図３
2006207202.tif 000002
【特許請求の範囲】
【請求項１】
鼻板に固定される固定部材と、この固定部材に連結して軒樋を吊下げ保持する吊具本体とからなる軒樋吊具であって、前記固定部材の鼻板に当接する当接面部の中心線上に、前記固定部材を上下にスライド自在に保持する仮固定手段が設けられることを特徴とする軒樋吊具。
【請求項２】
請求項１に記載の軒樋吊具であって、前記仮固定手段は断面Ｔ字状のアリ溝であることを特徴とする軒樋吊具。
【請求項３】
請求項１又は請求項２に記載の軒樋吊具であって、前記断面Ｔ字状のアリ溝の底幅は、鼻板に固定された仮固定用の固定具の頭部が当接する幅に設けられることを特徴とする軒樋吊具。
【発明の詳細な説明】
【技術分野】
【０００１】
本発明は、建築物の軒先に軒樋を取付けるための軒樋吊具の構造に関し、軒樋吊具を鼻板に固定する際の位置合わせの施工性が向上する軒樋吊具の構造に関する。
【背景技術】
【０００２】
従来、軒樋を吊り下げて保持する軒樋吊具の端部には固定部材が設けられており、この固定部材に釘孔が設けられている。そして、この釘孔に釘を直接打ち込むことにより固定部材が建物の軒先の鼻板に取付けられる。
【０００３】
しかしながら、固定部材の高さ方向の位置調節が困難であり、複数の軒樋吊具（固定部材）を鼻板上に同一水平線上に配設するのは至難であった。さらに一旦取付けた固定部材を再度取付け直すことは大変厄介であるという問題があった。
【０００４】
この問題を解決するために、例えば、特許文献１として特開平８−１２０８５７号公報に示されているような、固定部材に形成した長孔の釘孔に釘を打ち付けて仮固定して固定部材を上下方向に高さ位置調節してから固定する軒樋吊具が知られている。
【０００５】
特許文献１には、図５（а）、（ｂ）に示すように、固定部材５６を軒先の鼻板５１に固定する際に、固定部材５６は固定板５０を介して鼻板５１に取付けられる。なお、固定部材５６と固定板５０は鋲５８でかしめて固定される。
【０００６】
この固定板５０を鼻板５１に取付けるには、まず複数の固定部材５６が鼻板５１の外面に所定間隔になるように長孔の釘孔５２に釘５３を打込み固定板５０が上下移動可能な状態で仮固定する。次いで、鼻板５１上に張り渡した水平な糸を基準にして、各々の固定部材５６が水平になるように仮固定状態の固定板５０を上下調節する。その後、長孔の釘孔５２の釘を釘頭５５が固定板５０を当圧するまで打込んで固定するとともに、円孔の釘孔５７に釘５３を打込むことにより固定板５０は鼻板５１に最終的に固定される。
【０００７】
ここで、固定板５０を鼻板５１に仮固定した後に固定板５０の高さ調節を容易にするために、上側の左右一対の釘孔５２は釘５３の軸５４は貫通できるが釘頭５５の外径より狭幅の長孔である。そして、高さ調節が完了すると釘５３を打込み固定板５０が固定される。
【０００８】
さらに、下側の左右一対の円孔の釘孔５７に釘５３を打込むことにより最終的に固定板５０が固定される。
【０００９】
このようにして、鼻板５１に隔設された各固定部材５６は、正確に水平又は所望の水勾配でもって配列することができ、固定部材５６に取付けられる雨樋を軒下に正確に位置づけることができる。
【特許文献１】特開平８−１２０８５７号公報
【発明の開示】
【発明が解決しようとする課題】
【００１０】
ところが、上記特許文献１の固定部材５６では、固定部材５６の鼻板５１への取付けに仮固定用の釘５３が左右２本使用されているため、固定部材５６の上下位置調節時に固定部材５６が振れて、固定部材５６の釘孔５２に仮固定用の釘５３がスチックして固定部材５６が滑らかに上下動しないという現象が生じていた。このため、位置調整に手間がかかるという問題があった。
【００１１】
さらに、仮固定用の長孔の釘孔５２が建物の外側から人目に触れるため外観が見劣りするという問題があった。
【００１２】
そこで、本発明は、軒樋吊具の鼻板への取付けに関して、固定部材の上下位置調節を容易にするとともに固定部材の外観を良くして商品価値を高めることを目的とするものである。 
【課題を解決するための手段】
【００１３】
請求項１の発明は、鼻板に固定される固定部材と、この固定部材に連結して軒樋を吊下げ保持する吊具本体とからなる軒樋吊具であって、前記固定部材の鼻板に当接する当接面部の中心線上に、前記固定部材を上下にスライド自在に保持する仮固定手段が設けられることを特徴としている。
【００１４】
この軒樋吊具であれば、仮固定手段が前記固定部材の鼻板に当接する当接面部の中心線上に設けられるので、固定部材の上下位置調整時に固定部材の釘穴に仮固定用の釘がスチックすることなく固定部材を滑らかに上下動することができる。
【００１５】
また、仮固定用の釘の釘頭および長穴が建物の外側から人目に直接触れることがない。
【００１６】
請求項２の発明は、請求項１に記載の軒樋吊具であって、前記仮固定手段は断面Ｔ字状のアリ溝であることを特徴としている。
【００１７】
この軒樋吊具であれば、仮固定用の釘の釘頭および長穴が建物の外側から人目に直接触れることがない。
【００１８】
請求項３の発明は、請求項１又は請求項２に記載の軒樋吊具であって、前記断面Ｔ字状のアリ溝の底幅は、鼻板に固定された仮固定用の固定具の頭部が当接する幅に設けられることを特徴としている。
【００１９】
この軒樋吊具であれば、断面Ｔ字状のアリ溝の底幅方向の側壁に釘の釘頭が当接するので固定部材を上下方向の任意の位置で容易に保持（仮固定）できる。
【発明の効果】
【００２０】
請求項１記載の発明によれば、固定部材が滑らかに上下動するので軒樋吊具の鼻板への取付けに際して固定部材の水平高さ調節が容易に行える。
【００２１】
また、仮固定用の釘の釘頭および長穴が建物の外側から人目に直接触れることがないので、取付け金具の外観が良くなり商品価値が高まる。
【００２２】
請求項２記載の発明によれば、仮固定用の釘の釘頭および長穴が建物の外側から人目に直接触れることがないので、取付け金具の外観が良くなり商品価値が高まる。
【００２３】
請求項３の発明によれば、断面Ｔ字状のアリ溝に釘の釘頭が当接して固定部材を上下方向の任意の位置で容易に保持（仮固定）できるので、軒樋吊具の鼻板への配設に際して固定部材の水平高さ調節が容易に行なえる。
【発明を実施するための最良の形態】
【００２４】
＜軒樋吊具の構成＞
以下に、本発明の実施形態を図１〜図３に基づいて説明する。
【００２５】
図１〜図３に示すように、本実施例の軒樋吊具１は、鼻板２に固定される固定部材３と、この固定部材３に連結して軒樋４を吊下げ保持する吊具本体５とからなり、前記固定部材３が鼻板２に当接する当接面部６の中心線７上に、前記固定部材３を上下にスライド自在に保持する仮固定手段８が設けられる。
【００２６】
ここで、吊具本体５は、鼻板２に固定される固定部材３から突設した水平部材のアーム１１と、アーム１１の長さ方向の中央部１２でアーム１１の先端部１３寄りの位置１２ａにアーム１１から立ち下がる垂直部１４とからなり垂直部１４の先端１５に段差部１６を備えている。
【００２７】
アーム１１の先端部１３には軒樋４を吊下げ保持する際に軒樋４の一方の耳部４ａを保持するフック状の耳保持部１７が形成される。また、固定部材３近傍におけるアーム１１の下部側に、軒樋４の他方の耳部４ｂを保持する耳保持部１８が形成される。
【００２８】
そして、断面凹状の軒樋４は、一方の耳部４ａを耳保持部１７に、他方の耳部４ｂを耳保持部１８に保持されるとともに、一方の耳部４ａ側の底面隅部４ｃが段差部１６に嵌り込み保持されることにより吊具本体５に確実に固着される。
【００２９】
そして、軒樋吊具１の固定部材３が鼻板２に固着された状態では、軒樋４の底部１９が略水平になるように構成されている。
【００３０】
固定部材３の当接面部６の仮固定手段８は当接面部６の中心線７上に形成される断面Ｔ字状のアリ溝２０である。より詳しくは、アリ溝２０の断面は表面３１に平行な幅Ｓ１の底辺３２及び頂辺３３が２側辺３４によって形成される矩形状の溝部３５と、この頂辺３３の中央部（中心点）から表面３１まで貫通する矩形状の開口部３７とが連続して形成されるＴ字状である。そして、Ｔ字状の断面が前記固定部材３の当接面部６の中心線７上に沿って上下に細長く（長さＨ）形成され、長さ方向の最下端部３８には溝部３５の底辺３２の幅Ｓ１を直径とする円孔８ａを備えている。
【００３１】
さらに、固定部材３の左右端部にはそれぞれ２組の円孔２５が設けられ本固定用の釘４１の本固定用として用いられる。
【００３２】
鼻板２には仮固定用の固定具４０としての例えば釘２１が打ち込まれており、釘２１の釘頭２２が断面Ｔ字状のアリ溝２０の最下端部３８の円孔８ａからアリ溝２０の溝部３５に挿入され、断面Ｔ字状のアリ溝２０内を上下にスライドできる。
【００３３】
ここで、断面Ｔ字状のアリ溝２０と釘２１との相対関係は、底辺３２の幅Ｓ１、溝部３５の深さＳ２、当接面部６の表面３１から頂辺３３までの深さＳ３、開口部３７の開口幅Ｓ４、釘２１の頭幅Ｓ５、釘２１の頭厚さＳ６、釘２１の軸径Ｓ７とすると、
Ｓ１＝Ｓ５
Ｓ４＞Ｓ７
Ｓ２＞Ｓ６の関係である。（好ましくは、Ｓ２＝略１、５ｘＳ６）
このように、前記断面Ｔ字状のアリ溝２０の底辺３２の幅Ｓ１は、鼻板２に固定された仮固定用の固定具４０としての釘２１の頭幅Ｓ５と同じ幅（互いにスライド可能な範囲内で、釘２１の頭幅Ｓ５の方を底辺３２の幅Ｓ１より僅かに大きくするのが好ましい）であるので、釘２１はアリ溝２０内の任意の位置に仮固定することができる。
【００３４】
ここで、アーム１１及びの固定部材３の材質は、ステンレスや亜鉛メッキをした金属、あるいは軽量化や耐腐食性を考慮して例えば硬質塩化ビニール樹脂等の合成樹脂等が用いられる。
【００３５】
＜軒樋吊具の作用＞
軒樋吊具１の固定部材３を鼻板２に取付けるには、まず、図４（ａ）に示すように、釘２１を鼻板２の所定の位置に打ち込む。ここで、前記雨樋４は水平又は僅かな水勾配で取付ける必要があるので、軒樋吊具１の固定部材３の取付け基準線（位置）は、予め鼻板２に直接描かれた墨線或いは糸を張った状態で示されているので、釘２１の所定の位置は容易に特定することができる。なお、複数の固定部材３に対応する釘２１をそれぞれ所定の位置に打ち込む。
【００３６】
次に、図４（ｂ）に示すように、固定部材３の仮固定手段８としてのアリ溝２０の円孔８ａから釘２１の釘頭２２を挿入し、墨線或いは糸を基準にして固定部材３を上下（矢印Ｄの方向）にスライドして微調整を行い最終位置を確定する（仮固定）。同様に、それぞれ複数の固定部材３の仮固定が完了する。
【００３７】
図４（ｃ）に示すように、４本の釘４１を円孔２５を介して鼻板２に打ち付けることにより全固定部材３が鼻板２に本固定される。
【００３８】
上述のように、前記断面Ｔ字状のアリ溝２０の底辺３２の幅Ｓ１は、鼻板２に固定された仮固定用の固定具４０の釘２１の頭幅Ｓ５と同じ幅（スライド可能な範囲内で僅かに釘２１の頭幅Ｓ５の方が大きくするのが好ましい）であるので、釘２１はアリ溝２０内の上下方向に容易に調整でき安定して仮固定することができる。
【００３９】
また、全固定部材３を仮固定状態で調整してから本固定することができるので、鼻板２に隔設された各固定部材３は正確な位置に確実に本固定することができる。（再調整の無駄な工程を排除できる。）
また、溝部３５の深さＳ２は釘２１の頭厚さＳ６より広く（好ましくは、Ｓ２＝略１、５ｘＳ６）形成されている。このため、仮固定時に釘２１の釘頭２２の鼻板２からの取付け位置に余裕代（Ｓ２ーＳ６）が確保できるので、固定部材３の本固定が安定して実施できる。
【００４０】
より詳しくは、仮固定時の釘頭２２の位置が鼻板２からの所定位置より遠い場合には、本固定時に釘頭２２がアリ溝２０の底辺３２に押し付けられるため、固定部材３の一部が鼻板２に接触しないという現象が生じるため固定部材３にムリな力が掛かり、固定部材３が傾いたり固定部材３に損傷を与える恐れが生じる。逆に、仮固定時の釘頭２２の位置が鼻板２からの所定位置より近い場合には、固定部材３が釘頭２２と鼻板２間に強く挟まれるのでスムーズな上下調整ができないという問題がおこる。
【００４１】
本発明の実施形態によれば、このような固定部材３の仮固定及び本固定時の問題を未然に防ぐことができるので作業性が向上する。
【００４２】
軒樋吊具１が取付けられた状態では断面Ｔ字状のアリ溝２０は外部から隠れるので軒樋吊具１の外観が良くなり商品価値を高めることができる。
【００４３】
以上、本発明の実施形態を図面に基づいて説明したが、上記の実施例はいずれも本発明の一例を示したものであり、本発明はこれらに限定されるべきでないということはいうまでもない。
【００４４】
たとえば、固定部材３の仮固定は、前記断面Ｔ字状のアリ溝２０の底辺３２の幅Ｓ１と鼻板２に固定された仮固定用の固定具４０の釘２１の頭幅Ｓ５とを当接させる替わりに、Ｔ字状のアリ溝２０の開口部３７の開口幅Ｓ４が釘２１の軸径Ｓ７に当接する方法でも構わない。
【００４５】
さらに、溝部３５の深さＳ２と釘２１の頭厚さＳ６を同じにして接触させる仮固定でも構わない。
【００４６】
仮固定用の固着具は釘の替わりにネジでも構わない。
【図面の簡単な説明】
【００４７】
【図１】本発明の実施形態における軒樋吊具の側面図である。
【図２】本発明の実施形態における軒樋吊具の、図１におけるＡ−Ａ矢視図である。
【図３】本発明の実施形態における軒樋吊具の、図１におけるＢ−Ｂ断面図である。
【図４】（ａ）は本発明の実施形態における軒樋吊具の仮固定用の固定具を鼻板に取付けた側面図、（ｂ）は仮固定用の固定具に軒樋吊具の固定部材を取付けて上下位置の調整（仮固定）をする側面図、（ｃ）は軒樋吊具の固定部材に釘等の固定具を打ち付けた本固定状態を示す側面図。
【図５】従来の軒樋吊具の固定部材の、（ａ）は正面図、（ｂ）は固定部材を取付ける固定具の状態を示す斜視図である。
【符号の説明】
【００４８】
１  軒樋吊具
２  鼻板
３  固定部材
４  軒樋
５  吊具本体
６  当接面部
７  中心線上
８  仮固定手段
１１  アーム
２０  アリ溝
２１  釘
２５  円孔
３１  表面
３２  底辺
３３  頂辺
３５  溝部
３７  開口部
４０  固定具
４１  釘
Ｓ１  幅
Ｓ２  深さ
Ｓ３  深さ
Ｓ４  開口幅
Ｓ５  頭幅
Ｓ６  頭厚さ
Ｓ７  軸径
【図１】
2006207202.tif 000003
【図２】
2006207202.tif 000004
【図３】
2006207202.tif 000005
【図４】
2006207202.tif 000006
【図５】
2006207202.tif 000007